(57)【要約】【課題】  非接触ＩＣタグが破損した場合でもそのリカバリを可能とし、また、イベント会場への入場時に要していたデータ入力操作を不要とし、入場管理システムの信頼性および利便性の向上を図る。【解決手段】  ユーザ１が非接触ＩＣタグであるＲＦＩＤタグが組み込まれたＵＳＢメモリ４０をＰＣ１０に挿入すると、それを検知することによって、専用サイト３への接続に誘導する（手順［１］）。ユーザ１が専用サイト３でコンサートチケットを購入すると（手順［２］）、ＵＳＢメモリ４０にそのバウチャを保存する（手順［３］）。そのときの購入者情報が、専用サイト３の専用サーバ３０からイベント会場２の会場端末２０に配信される（手順［４］）。ユーザ１がＵＳＢメモリ４０を携帯してイベント会場２に行くと、ＵＳＢメモリ４０に保存されたバウチャと、会場端末２０に配信された購入者情報との照合によってゲート入場を可能とする（手順［５］）。【選択図】      図１
2005309532.tif 000002
【特許請求の範囲】
【請求項１】
非接触ＩＣタグが組み込まれたリムーバブルメディアを電子チケットとして用い、ユーザの会場への入場を管理する入場管理システムであって、
前記ユーザの端末は、
前記リムーバブルメディアがそのユーザの端末に挿入されたことを検知して所定のサイトにネットワークを介して接続するサイト接続誘導部と、
前記所定のサイトとの間で電子チケットの購入手続を行う購入手続処理部と、
を備え、
前記リムーバブルメディアは、
前記購入手続に伴う課金の処理が終了した後、前記所定のサイトから送信されるバウチャを受信し、その受信したバウチャを保存するバウチャ保存部
を備え、
前記会場の端末は、
その会場の端末に接続されたタグリーダに前記リムーバブルメディアの非接触ＩＣタグが近付けられることによって、前記バウチャ保存部に保存されたバウチャと、前記所定のサイトから配信される購入者情報との照合を行い、その照合が一致したときに前記会場への入場を許可する認証部
を備える
ことを特徴とする入場管理システム。
【請求項２】
前記サイト接続誘導部は、
前記リムーバブルメディアが挿入されたことを契機に、前記リムーバブルメディアの書替え不可領域に格納されたアプリケーションプログラムの指示内容に従って、書替え可能領域に格納された前記所定のサイトの所在を示すデータを入力し、その入力したデータによって前記所定のサイトに接続する
ことを特徴とする請求項１に記載の入場管理システム。
【請求項３】
前記バウチャ保存部は、
前記バウチャとして、前記非接触ＩＣタグに記録されたタグ識別情報と同じ内容のメモリ識別情報に前記チケット購入に係る個人情報を対応付けて保存することを特徴とする請求項１に記載の入場管理システム。
【請求項４】
非接触ＩＣタグが組み込まれたリムーバブルメディアからなる電子チケットを作成する電子チケット作成装置であって、
前記リムーバブルメディアに保存されたメモリ識別情報を取得するメモリ識別情報取得部と、
前記リムーバブルメディアに保存されたタグ識別情報を取得し、前記取得したメモリ識別情報と共に出力する識別情報入出力部と、
前記出力されたメモリ識別情報およびタグ識別情報を対応付けて記録する識別情報対応記録部と、
を備えることを特徴とする電子チケット作成装置。
【請求項５】
非接触ＩＣタグが組み込まれたリムーバブルメディアからなる電子チケットであって、
前記リムーバブルメディアのメモリ識別情報が保存された記憶部に、電子チケットとして必要な購入者情報が対応付けられて記録されることを特徴とする電子チケット。
【請求項６】
非接触ＩＣタグが組み込まれたリムーバブルメディアを電子チケットとして用い、ユーザの会場への入場を管理する入場管理システムにおける入場管理方法であって、
前記ユーザの端末が、そのユーザの端末に前記リムーバブルメディアが挿入されたことを検知して所定のサイトにネットワーク接続するステップと、
前記ユーザの端末が、前記所定のサイトとの間で電子チケットの購入手続を行うステップと、
前記リムーバブルメディアが、前記購入手続に伴う課金の処理が終了した後、前記所定のサイトから送信されるバウチャを保存するステップと、
前記会場の端末が、その会場の端末に接続されたタグリーダに前記リムーバブルメディアの非接触ＩＣタグが近付けられることによって、前記保存されたバウチャと、前記所定のサイトから配信される購入者情報との照合を行い、その照合が一致したときに前記会場への入場を許可するステップと、
を含むことを特徴とする入場管理方法。
【請求項７】
前記ユーザの端末が、前記所定のサイトのうち、入会手続を行う入会手続サイトに接続するステップと、
前記ユーザの端末が、前記リムーバブルメディアのメモリ識別情報を前記入会手続サイトに送信するステップと、
前記所定のサイトのサーバが、前記メモリ識別情報を受信し、所定の記憶部に記憶するステップと、
前記所定のサイトのサーバが、前記所定のサイトに接続するのに必要なデータを前記ユーザの端末に送信するステップと、
前記ユーザの端末が、前記データを受信し、前記リムーバブルメディアの記憶部に記憶するステップと、
を更に含むことを特徴とする請求項６に記載の入場管理方法。
【請求項８】
非接触ＩＣタグが組み込まれたリムーバブルメディアを用い、ユーザの会場への入場を管理する入場管理システムにおける入場管理方法であって、
ユーザの端末が、参加募集を行う参加募集サイトに接続するステップと、
前記ユーザの端末が、前記リムーバブルメディアのメモリ識別情報を前記参加募集サイトに送信するステップと、
前記参加募集サイトのサーバが、前記メモリ識別情報を受信し、所定の記憶部に記憶するステップと、
前記参加募集サイトのサーバが、前記所定の記憶部に記憶したメモリ識別情報を集計、分析するステップと、
を含むことを特徴とする入場管理方法。
【請求項９】
前記参加募集を行ったイベントの会場の端末が、リムーバブルメディアの非接触ＩＣタグのタグ識別情報を受信し、そのタグ識別情報を所定の記憶部に記憶するステップと、
前記会場の端末が、前記所定の記憶部に記憶したタグ識別情報を集計し、その集計した結果を前記参加募集サイトのサーバに送信するステップと、
前記参加募集サイトのサーバが、前記タグ識別情報を集計した結果を受信し、その受信した結果および前記メモリ識別情報を集計した結果を比較、分析するステップと、
を更に含むことを特徴とする請求項８に記載の入場管理方法。
【請求項１０】
非接触ＩＣタグが組み込まれたリムーバブルメディアからなる電子チケットを作成する電子チケット作成装置における電子チケット作成方法であって、
前記電子チケット作成装置は、
前記リムーバブルメディアに保存されたメモリ識別情報を取得するステップと、
前記リムーバブルメディアに保存されたタグ識別情報を取得し、前記取得したメモリ識別情報と共に出力するステップと、
前記出力されたメモリ識別情報およびタグ識別情報を対応付けて記録するステップと、
を実行することを特徴とする電子チケット作成方法。
【請求項１１】
前記電子チケット作成装置は、
前記リムーバブルメディアに保存されたメモリ識別情報に、チケット購入に係る個人情報を対応付けて記録するステップ
を更に実行することを特徴とする請求項１０に記載の電子チケット作成方法。
【請求項１２】
申込用のＩＤを明示したサービスの提供の申し込みを、ネットワークを経由して受け付け、受け付けたサービスを前記申込用のＩＤに対応付けてデータベースに記憶するサービス申込受付装置と、
ブラウザが組み込まれて前記サービス申込受付装置に前記ネットワークを経由して接続し、前記申込用のＩＤを送信することにより前記サービスの提供の申し込みを行う端末装置と、
識別タグに書き込まれたタグ識別ＩＤを読み取り、この読み取ったタグ識別ＩＤに基づき、サービスの提供の可否を判断するサービス提供可否判断装置と、
を備えてサービスの申し込みの受け付けおよびサービスの提供の可否判断を行うサービス提供システムに使用される携帯型のリムーバブルメディアであって、
この携帯型のリムーバブルメディアは、
前記端末装置と接続する接続部と、
前記端末装置に読み込まれて、前記ブラウザを介して当該端末装置を前記サービス申込受付装置に接続するための所定のデータおよびプログラムを記憶する記憶部と、
前記端末装置に読み込まれて、サービスの申し込みの際に前記サービス申込受付装置に送信される前記申込用のＩＤを書き換え不能に記憶する記憶部と、
前記サービス提供可否判断装置に読み取られ、前記申込用のＩＤと所定の関係を有するタグ識別ＩＤが書き込まれた識別タグと、
を備えること、
を特徴とする携帯型のリムーバブルメディア。
【請求項１３】
前記所定の関係について、前記タグ識別ＩＤと前記申込用のＩＤが同一のＩＤであることを特徴とする請求項１２に記載の携帯型のリムーバブルメディア。
【請求項１４】
前記所定の関係について、前記タグ識別ＩＤと前記申込用のＩＤが同一でない場合は、前記タグ識別ＩＤと前記申込用のＩＤの関係が、前記サービス提供システム側で管理されていることを特徴とする請求項１２に記載の携帯型のリムーバブルメディア。
【請求項１５】
前記識別タグが、非接触ＩＣタグ、バーコードまたは２次元コードであることを特徴とする請求項１２ないし請求項１４のいずれか一項に記載の携帯型のリムーバブルメディア。
【発明の詳細な説明】
【技術分野】
【０００１】
本発明は、非接触ＩＣタグが組み込まれたリムーバブルメディアからなる電子チケットを用いた入場管理システム、電子チケット作成装置、電子チケット、入場管理方法、電子チケット作成方法および携帯型のリムーバブルメディアに関する。
【背景技術】
【０００２】
従来、コンサート、映画、博覧会、展示会などの各種イベントの入場券や列車、バス、航空機、船舶などの乗物の切符（乗車券、乗船券など）は、チケット売り場や切符売り場へ直接出向くか、電話やファクシミリで予約し、郵送してもらうことによって購入していた。最近では、情報通信技術の進展に伴い、コンビニエンスストアなどに設置された発券端末を操作して購入することも可能になった。
【０００３】
一方、予め登録された会員からインターネットを介してチケット申込を受け付け、必要なチケットを発券する発券システムも知られている（例えば、特許文献１参照）。このとき、発券されたチケットには非接触ＩＣ（Integrated Circuit）タグが貼付され、予約内容は非接触ＩＣタグに記録された会員ＩＤをタグリーダで読み取り、チケット発行会社のＤＢ（Data Base）を照合することによって管理される。また、携帯電話を用い、チケット販売センタにアクセスして購入と決済を行い、決済コードが設定されたＩＣカードの使用または決済コードの入力によって、入場チェックを行う決済証明システムも知られている（例えば、特許文献２参照）。
【特許文献１】特開２００３−２２３５２５号公報（段落００２０〜００２４、図１）
【特許文献２】特開２００２−３１８９８４号公報（段落００１５〜００１７、図２）
【発明の開示】
【発明が解決しようとする課題】
【０００４】
特許文献１に開示された技術によれば、チケット販売所に出向くことなくチケットを購入することを可能とし、偽造が困難で利便性の高いチケット販売システムを構築することができる。しかしながら、非接触ＩＣタグが破損して読み取りエラーが発生した場合のリカバリの方法については開示されていない。
また、特許文献２に開示された技術によれば、会場入場時のチェックが自動化され、その携帯電話保持者は入場が許可される。しかしながら、入場時に、決済コードが記録されたＩＣカードまたは携帯電話による決済コードの入力操作が必要となる。
【０００５】
本発明は、前記事情に鑑みてなされたものであり、非接触ＩＣタグが破損した場合でもそのリカバリを可能とし、また、イベント会場への入場時に要していたデータ入力操作を不要とし、入場管理システムの信頼性および利便性の向上を図る手段を提供することを目的とする。
【課題を解決するための手段】
【０００６】
前記課題を解決する本発明のうち、請求項１に係る発明は、非接触ＩＣタグが組み込まれたリムーバブルメディアを電子チケットとして用い、ユーザの会場への入場を管理する入場管理システムであって、ユーザの端末が、リムーバブルメディアがそのユーザの端末に挿入されたことを検知して所定のサイトにネットワークを介して接続するサイト接続誘導部と、所定のサイトとの間で電子チケットの購入手続を行う購入手続処理部とを備え、リムーバブルメディアが、購入手続に伴う課金の処理が終了した後、所定のサイトから送信されるバウチャを受信し、その受信したバウチャを保存するバウチャ保存部を備え、会場の端末が、その会場の端末に接続されたタグリーダにリムーバブルメディアの非接触ＩＣタグが近付けられることによって、バウチャ保存部に保存されたバウチャと、所定のサイトから配信される購入者情報との照合を行い、その照合が一致したときに会場への入場を許可する認証部を備えることを特徴とする。
【０００７】
請求項２に係る発明は、入場管理システムであって、サイト接続誘導部が、リムーバブルメディアが挿入されたことを契機に、リムーバブルメディアの書替え不可領域に格納されたアプリケーションプログラムの指示内容に従って、書替え可能領域に格納された所定のサイトの所在を示すデータを入力し、その入力したデータによって所定のサイトに接続することを特徴とする。
【０００８】
請求項３に係る発明は、入場管理システムであって、バウチャ保存部が、バウチャとして、非接触ＩＣタグに記録されたタグ識別情報と同じ内容のメモリ識別情報にチケット購入に係る個人情報を対応付けて保存することを特徴とする。
【０００９】
請求項４に係る発明は、非接触ＩＣタグが組み込まれたリムーバブルメディアからなる電子チケットを作成する電子チケット作成装置であって、リムーバブルメディアに保存されたメモリ識別情報を取得するメモリ識別情報取得部と、リムーバブルメディアに保存されたタグ識別情報を取得し、取得したメモリ識別情報と共に出力する識別情報入出力部と、出力されたメモリ識別情報およびタグ識別情報を対応付けて記録する識別情報対応記録部とを備えることを特徴とする。
【００１０】
請求項５に係る発明は、非接触ＩＣタグが組み込まれたリムーバブルメディアからなる電子チケットであって、リムーバブルメディアのメモリ識別情報が保存された記憶部に、電子チケットとして必要な購入者情報が対応付けられて記録されることを特徴とする。
【００１１】
請求項６に係る発明は、非接触ＩＣタグが組み込まれたリムーバブルメディアを電子チケットとして用い、ユーザの会場への入場を管理する入場管理システムにおける入場管理方法であって、ユーザの端末が、そのユーザの端末にリムーバブルメディアが挿入されたことを検知して所定のサイトにネットワーク接続するステップと、ユーザの端末が、所定のサイトとの間で電子チケットの購入手続を行うステップと、リムーバブルメディアが、購入手続に伴う課金の処理が終了した後、所定のサイトから送信されるバウチャを保存するステップと、会場の端末が、その会場の端末に接続されたタグリーダにリムーバブルメディアの非接触ＩＣタグが近付けられることによって、保存されたバウチャと、所定のサイトから配信される購入者情報との照合を行い、その照合が一致したときに会場への入場を許可するステップとを含むことを特徴とする。
【００１２】
請求項７に係る発明は、入場管理方法であって、ユーザの端末が、所定のサイトのうち、入会手続を行う入会手続サイトに接続するステップと、ユーザの端末が、リムーバブルメディアのメモリ識別情報を入会手続サイトに送信するステップと、所定のサイトのサーバが、メモリ識別情報を受信し、所定の記憶部に記憶するステップと、所定のサイトのサーバが、所定のサイトに接続するのに必要なデータをユーザの端末に送信するステップと、ユーザの端末が、データを受信し、リムーバブルメディアの記憶部に記憶するステップとを更に含むことを特徴とする。
【００１３】
請求項８に係る発明は、非接触ＩＣタグが組み込まれたリムーバブルメディアを用い、ユーザの会場への入場を管理する入場管理システムにおける入場管理方法であって、ユーザの端末が、参加募集を行う参加募集サイトに接続するステップと、ユーザの端末が、リムーバブルメディアのメモリ識別情報を参加募集サイトに送信するステップと、参加募集サイトのサーバが、メモリ識別情報を受信し、所定の記憶部に記憶するステップと、参加募集サイトのサーバが、所定の記憶部に記憶したメモリ識別情報を集計、分析するステップとを含むことを特徴とする。
【００１４】
請求項９に係る発明は、入場管理方法であって、参加募集を行ったイベントの会場の端末が、リムーバブルメディアの非接触ＩＣタグのタグ識別情報を受信し、そのタグ識別情報を所定の記憶部に記憶するステップと、会場の端末が、所定の記憶部に記憶したタグ識別情報を集計し、その集計した結果を参加募集サイトのサーバに送信するステップと、参加募集サイトのサーバが、タグ識別情報を集計した結果を受信し、その受信した結果およびメモリ識別情報を集計した結果を比較、分析するステップとを更に含むことを特徴とする。
【００１５】
請求項１０に係る発明は、非接触ＩＣタグが組み込まれたリムーバブルメディアからなる電子チケットを作成する電子チケット作成装置における電子チケット作成方法であって、電子チケット作成装置が、リムーバブルメディアに保存されたメモリ識別情報を取得するステップと、リムーバブルメディアに保存されたタグ識別情報を取得し、取得したメモリ識別情報と共に出力するステップと、出力されたメモリ識別情報およびタグ識別情報を対応付けて記録するステップとを実行することを特徴とする。
【００１６】
請求項１１に係る発明は、電子チケット作成方法であって、電子チケット作成装置が、リムーバブルメディアに保存されたメモリ識別情報に、チケット購入に係る個人情報を対応付けて記録するステップを更に実行することを特徴とする。
【００１７】
請求項１２に係る発明は、申込用のＩＤを明示したサービスの提供の申し込みを、ネットワークを経由して受け付け、受け付けたサービスを申込用のＩＤに対応付けてデータベースに記憶するサービス申込受付装置と、ブラウザが組み込まれてサービス申込受付装置にネットワークを経由して接続し、申込用のＩＤを送信することによりサービスの提供の申し込みを行う端末装置と、識別タグに書き込まれたタグ識別ＩＤを読み取り、この読み取ったタグ識別ＩＤに基づき、サービスの提供の可否を判断するサービス提供可否判断装置とを備えてサービスの申し込みの受け付けおよびサービスの提供の可否判断を行うサービス提供システムに使用される携帯型のリムーバブルメディアであって、端末装置と接続する接続部と、端末装置に読み込まれて、ブラウザを介して当該端末装置をサービス申込受付装置に接続するための所定のデータおよびプログラムを記憶する記憶部と、端末装置に読み込まれて、サービスの申し込みの際にサービス申込受付装置に送信される申込用のＩＤを書き換え不能に記憶する記憶部と、サービス提供可否判断装置に読み取られ、申込用のＩＤと所定の関係を有するタグ識別ＩＤが書き込まれた識別タグとを備えることを特徴とする。
【００１８】
請求項１３に係る発明は、携帯型のリムーバブルメディアであって、前記所定の関係について、タグ識別ＩＤと申込用のＩＤが同一のＩＤであることを特徴とする。
【００１９】
請求項１４に係る発明は、携帯型のリムーバブルメディアであって、前記所定の関係について、タグ識別ＩＤと申込用のＩＤが同一でない場合は、タグ識別ＩＤと申込用のＩＤの関係が、サービス提供システム側で管理されていることを特徴とする。
【００２０】
請求項１５に係る発明は、携帯型のリムーバブルメディアであって、識別タグが、非接触ＩＣタグ、バーコードまたは２次元コードであることを特徴とする。
【発明の効果】
【００２１】
本発明によれば、リムーバブルメディアをチケットとして用いるので、チケットの転売や複製ができなくなる。また、万が一非接触ＩＣタグが破損しても、そのリカバリが可能になる。更に、イベント会場への入場時に要していたＩＣカードの挿入やコードの入力を行う手間が不要となるので、入場時の混雑を解消できる。以上から、入場管理システムの信頼性および利便性の向上を図ることができる。
【発明を実施するための最良の形態】
【００２２】
図１は、本発明の実施の形態に係る入場管理方法を実現するビジネルモデルおよびその利用主体を示す図である。
図１において、符号１はユーザ、符号２はイベント会場、符号３は専用サイトである。ユーザ１はＰＣ１０を所持し、イベント会場２では会場端末２０を所持管理、専用サイト３では専用サーバ３０を所持管理する。ＰＣ１０、会場端末２０および専用サーバ３０は、ＩＰ（Internet Protocol）ネットワークを介して接続されているものとする。
ここでは、電子チケットとして用いる、非接触ＩＣタグ（以下、ＲＦＩＤ［Radio Frequency Identification］タグという）が組み込まれたリムーバブルメディアに、当社が製造販売しているスタイリッシュで携帯性に富んだＥａｓｙＤｉｓｋ（登録商標）と称されるＵＳＢ（Universal Serial Bus）メモリ４０を使用することとする。
【００２３】
このビジネスモデルにおいて、まず、ユーザ１は、ＰＣ１０のＵＳＢポートにＵＳＢメモリ４０を挿入することにより、自動的に会員向けの専用サイト３へ誘導される（手順［１］）。専用サイト３へ誘導される仕組みについては後記する。ここで、ユーザ１は、専用サイト３の専用サーバ３０から送信される情報を閲覧しながら個人情報を含む必要事項を入力することによってチケットを購入するための手続を行い（手順［２］）、コンビニエンスストア（図示せず）などでチケット購入代金を支払う。その後、専用サイト３から購入済みであることを証明する決済済み情報の他、席番号などが記されたバウチャが送信され、そのバウチャをＰＣ１０経由で受信してＵＳＢメモリ４０に保存する（手順［３］）。
【００２４】
一方、専用サイト３では、購入者情報を蓄積すると共に、その購入者情報をコンサート会場であるイベント会場２に配信しておく（手順［４］）。
ユーザ１がＵＳＢメモリ４０を持参してイベント会場２に出向き、入場ゲートに設置された会場端末２０に接続されたタグリーダに近付けるかまたは接触させる（以下、この行為を「かざす」と称する）ことによって会場端末２０で照合操作が行われ、入場が許可される（手順［５］）。なお、照合は、会場端末２０によらず、イベント会場２を統括管理するセンタ（図示せず）が行ってもよい。
また、引き続き、ユーザ１は、ＵＳＢメモリ４０をＰＣ１０に挿入することによって、再び専用サイト３へ誘導され、ここで、ファン向けのお知らせ、コンサート情報提供、専用掲示板の閲覧、プレミアムグッズ販売などが行われ、コミュニケーションを継続できる（手順［６］）。なお、専用サイト３からは、バウチャ以外にプレミアムコンテンツのダウンロードも可能である。
【００２５】
図２は、本発明の実施の形態に係る入場管理システムの構成を示す図である。ここでは、ユーザ１が所持管理するＰＣ１０の機能ブロック構成を中心に示されている。なお、この構成は、サービス提供システムにも適用できるものとする。
図２において、ＰＣ１０は、メディア挿入検知部１１と、サイト接続誘導部１２と、購入手続処理部１３とを備える。メディア挿入検知部１１は、ＵＳＢメモリ４０がＰＣ１０のＵＳＢポートに挿入されたことを検知してサイト接続誘導部１２を起動する機能を持つ。サイト接続誘導部１２は、ＵＳＢメモリ４０がＰＣ１０のＵＳＢポートに挿入されたことを契機に、ＰＣ１０を所定のサイトの専用サーバ３０にＩＰネットワーク５０を介して接続する機能を持つ。ここで、サイト接続誘導部１２は、その接続に必要なデータやプログラムをＵＳＢメモリ４０から読み込むものとする。購入手続処理部１３は、所定のサイトとの間で電子チケットの購入手続を行う機能を持ち、その購入手続に伴う課金の処理（例えば、振込口座への決済処理）を確認した後、専用サーバ３０から送信されるバウチャを受信し、そのバウチャをＵＳＢメモリ４０のバウチャ保存部４０２に保存する。ＵＳＢメモリ４０には、その他に後記するメモリ識別情報がＵＩＤ（User Identification、識別情報）保存部４０１に保存されている。ここで、ＵＩＤ保存部４０１およびバウチャ保存部４０２には、ＵＳＢメモリ４０のメディア記憶部４２（図９参照）が使用されるものとする。
【００２６】
なお、バウチャは、ＵＳＢメモリ４０のバウチャ保存部４０２に保存され、ＲＦＩＤタグに記録されたタグＵＩＤと同じ内容を持つメモリＵＩＤに、チケット購入に係る個人情報が対応付けられて記録された情報である。また、ＵＳＢメモリ４０は、ＰＣ１０と接続する接続部と、ＰＣ１０に読み込まれて、ブラウザを介してＰＣ１０を専用サーバ３０に接続するための所定のデータ（ＵＲＬなど）およびプログラムを記憶する記憶部とを備えるものとする。
このビジネスモデルにおいて、ユーザ１は、ＵＳＢメモリ４０を持参し、イベント会場２に設置されたタグＲ／Ｗ（Reader/Writer）にかざすことにより、専用サーバ３０から配信される購入者情報との照合がなされ、その照合が得られたときには、ユーザ１のイベント会場２への入場が許可され、その照合が得られないときには、入場が拒否される。なお、タグＲ／Ｗは、タグＲ（Reader）であってもよい。
【００２７】
また、サイト接続誘導部１２は、ＵＳＢメモリ４０がＰＣ１０のＵＳＢポートに挿入されたことを契機に、ＵＳＢメモリ４０の書替え不可領域に格納されたアプリケーションプログラムの指示内容に従って、書替え可領域に格納されたアプリケーションプログラムを実行することで所定のサイトに接続する。図９にその仕組みが示されている。
図９において、ＵＳＢメモリ４０は、制御部４１と、メディア記憶部４２とを備える。制御部４１は、ＣＰＵ（Central Processing Unit）を内蔵し、ファームウエア（firmware）領域４１０に記録されたプログラムに基づいて後記する動作を行う。メディア記憶部４２は、書替え不可能な仮想ＣＤ−ＲＯＭ領域４２１と、書替え可能なストレージ領域４２２とから構成される。
【００２８】
この構成において、ＰＣ１０は、ＯＳ（Operating System）が持つＡｕｔｏＲｕｎ機能に基づいてＵＳＢメモリ４０から転送されるアプリケーションプログラムＡを自動実行する。アプリケーションプログラムＡは、ストレージ領域４２２に格納されたアプリケーションプログラムＢを開く、または、ストレージ領域４２２に格納されている設定情報を参照する命令が記述されており、これによって、ＰＣ１０は、ストレージ領域４２２に格納されたアプリケーションプログラムＢを実行したり、設定情報に基づく処理を行ったりすることができる。ここで、アプリケーションプログラムＢにＵＲＬ（Universal Resource Locator）を記述しておくことで、誘導したいサイトまたは見てほしいページに直接ユーザを導くことができる。
【００２９】
図３は、本発明の実施の形態に係る会場端末の内部構成を示す図である。会場端末２０の構成を機能的に分けると、購入者情報受信部２１と、認証部２２と、座席表出力部２３とに区分される。
購入者情報受信部２１は、専用サーバ３０から送信される、決済コードおよび購入者の個人情報を含む購入者情報をＩＰネットワーク５０経由で受信して、認証部２２および座席表出力部２３に供給する。認証部２２は、購入者情報受信部２１を介して受信した購入者情報と、ＵＳＢメモリ４０からタグＲ／Ｗ６０の識別情報読取部６１を介して読み出したタグＵＩＤおよびバウチャとの照合を行い、その照合の結果をイベント会場２のゲート開閉制御信号として出力する。ここで、バウチャは、ＵＳＢメモリ４０のメディア記憶部４２（図９参照）からＲＦＩＤタグ経由で読み出されるものとする。なお、バウチャを除いて、タグＵＩＤを照合するようにしてもよい。座席表出力部２３は、ＵＳＢメモリ４０を、例えば、コンサートチケットの代替として用いる場合、購入者情報の中に含まれる座席表をプリンタ８０によって印刷する。
【００３０】
図６、図７は、本発明の実施の形態に係る入場管理システムの動作を示すシーケンス図である。以下、図６、図７のシーケンス図を参照しながら、図２、図３に示す入場管理システムおよび会場端末の動作について詳細に説明する。
【００３１】
図６において、まず、ユーザは、ＰＣ１０のＵＳＢポートに、ＲＦＩＤタグが組み込まれたＵＳＢメモリ４０を挿入する（ステップＳ６１）。メディア挿入検知部１１は、これを検知し、サイト接続誘導部１２に通知する。サイト接続誘導部１２は、その通知を契機にユーザを会員向けの専用サイト３への接続に誘導する（ステップＳ６２）。専用サイト３へ誘導する仕組みについては、前記の通りである。
ここで、ユーザは、専用サーバ３０からＰＣ１０に送信される情報を閲覧しながら、個人情報を含む必要事項を入力することによって、コンサートチケットを購入するための手続を行う（ステップＳ６３）。そして、ユーザが、コンビニエンスストア（図示せず）などでチケット購入代金を支払った後、専用サイト３の専用サーバ３０からＰＣ１０に、購入済みであることを証明する決済済み情報の他、座席表などが記されたバウチャが送信される。このバウチャが電子チケットとなり、これをＰＣ１０経由で受信してＵＳＢメモリ４０のバウチャ保存部４０２に保存する（ステップＳ６４）。
【００３２】
これに対し、専用サーバ３０は、決済済み情報や座席表などの購入者情報を内蔵ＤＢ（Data Base）に蓄積すると共に、その購入者情報をコンサート会場であるイベント会場２に設置された会場端末２０に配信しておく（ステップＳ６５）。
一方、ユーザは、ＵＳＢメモリ４０を持参してイベント会場２に出向き、入場ゲートに設置された会場端末２０に接続されたタグＲ／Ｗ６０に対してＵＳＢメモリ４０をかざす（ステップＳ６６）。会場端末２０には、事前に専用サーバ３０から購入者情報が配信されており、認証部２２が、購入者情報受信部２１を介して受信した購入者情報と、先に取り込んでいるバウチャとの照合を行い、その照合の結果によってゲート開閉信号を生成出力する。これによって、ユーザのイベント会場への入場の許可または拒否を行う入場管理が実施される（ステップＰ６１）。また、併せて座席表出力部２３が、プリンタ８０によって座席表を出力する（ステップＰ６２）。なお、照合操作は、会場端末２０によらず、イベント会場２を統括管理するセンタサーバ（図示せず）が行ってもよい。
【００３３】
引き続き、ユーザは、ＵＳＢメモリ４０をＰＣ１０のＵＳＢポートに挿入することで（ステップＳ６７）、再び会員向けの専用サイト３へ誘導され（ステップＳ６８）、ここで、ファン向けのお知らせ、コンサート情報の配信、専用掲示板の閲覧、プレミアムグッズの販売などが行われる（ステップＳ６９）。
【００３４】
図７に、図６に示した入場管理（ステップＰ６１）の詳細手順が示されている。すなわち、図７において、ユーザ１は、イベント会場２に設置されたタグＲ／Ｗ６０に、ＲＦＩＤタグが組み込まれたＵＳＢメモリ４０をかざすと（ステップＰ６１１）、タグＲ／Ｗ６０は、ＲＦＩＤタグのタグＵＩＤを読み取る（ステップＰ６１２）。そして、会場端末２０は、このタグＵＩＤおよびタグＵＩＤに対応付けられて記録されたバウチャをセンタサーバ９０へ送信する（ステップＰ６１３）。
センタサーバ９０は、イベント会場に分散配置される会場端末２０を統括するサーバであり、専用サーバ３０から配信を受け、先に蓄積済みの購入者情報とバウチャとの照合による認証処理を行い（ステップＰ６１４）、その結果をゲート開閉制御信号として、会場端末２０へ送信する（ステップＰ６１５）。このことにより、入場ゲートの開閉制御が実行され、ユーザの入場の許可または拒否が行われる（ステップＰ６１６）。
【００３５】
なお、この認証処理は会場端末２０で実行することも可能である。この場合、図中、点線で示されるように、専用サーバ３０からセンタサーバ９０経由で会場端末２０に購入者情報が配信され（ステップＰ６１７）、その購入者情報と読み取ったタグＵＩＤおよびバウチャとの照合による認証処理が行われる（ステップＰ６１８）。
【００３６】
ここで、図４、図５および図８を参照しながら、本発明の実施の形態に係る電子チケット作成装置について説明する。
図４は、電子チケット作成装置の構成を示し、図５は、その内部構成を示す。図４に示すように、電子チケット作成装置は、ＰＣ１０に対して、ＵＳＢケーブル７０によってタグＲ／Ｗ６０が接続されて構成される。タグＲ／Ｗ６０には、ＲＦＩＤタグが組み込まれたＵＳＢメモリ４０が載置されている。
【００３７】
図５に示すように、ＰＣ１０は、識別情報受信部１５と、Ｒ／Ｗ制御部１６と、識別情報対応記録部１７とを備える。識別情報受信部１５は、ＵＳＢメモリ４０に保存されたメモリＵＩＤを取得してＲ／Ｗ制御部１６に供給する。Ｒ／Ｗ制御部１６は、別途供給されるタグＵＩＤを、識別情報受信部１５から供給されたメモリＵＩＤと共に出力する機能を持つ。一方、タグＲ／Ｗ６０は、識別情報読取部６１を備え、ＲＦＩＤタグから読み取ったタグＵＩＤをＰＣ１０のＲ／Ｗ制御部１６に供給する。また、ＰＣ１０の識別情報対応記録部１７は、Ｒ／Ｗ制御部１６から出力されたメモリＵＩＤおよびタグＵＩＤを対応付けて記録する。
【００３８】
図８は、本発明の実施の形態に係る電子チケット作成装置の動作を示すシーケンス図である。
図８に示すように、まず、ＵＳＢメモリ４０がＰＣ１０のＵＳＢポートに挿入され、ＰＣ１０が専用サイトへの接続に誘導された後（ステップＳ８１）、ユーザ１がＵＳＢメモリ４０をタグＲ／Ｗ６０にかざす。このことにより、ＰＣ１０では、識別情報受信部１５によりＵＳＢメモリ４０に保存されたメモリＵＩＤが取得される（ステップＰ８１）。また、Ｒ／Ｗ制御部１６により、タグＲ／Ｗ６０の識別情報読取部６１を介して、かざされたＵＳＢメモリ（組み込まれたＲＦＩＤタグ）のタグＵＩＤが読み込まれる（ステップＰ８２）。
【００３９】
続いて、ＰＣ１０では、識別情報対応記録部１７が、Ｒ／Ｗ制御部１６からメモリＵＩＤおよびタグＵＩＤを取得し、それらの組合せ（対応関係）を記録する（ステップＰ８３）。
これは、ＲＦＩＤタグに記録されたデータが読み込めない場合の対応であり、この場合、ＵＳＢメモリ４０のＵＩＤを参照することによって、タグＵＩＤの代替を実現することができる。
【００４０】
以上の説明のように、本発明は、ＲＦＩＤタグが組み込まれたＵＳＢメモリ４０をはじめとするコンパクトで携帯性に優れたリムーバブルメモリを電子チケットとして利用することで、チケットの転売や複製を不可とし、万が一、ＲＦＩＤタグが破損してもそのリカバリを可能とし、また、従来、イベント会場２への入場時に要していたＩＣカードの挿入やコードの入力を行う手間を不要とし、このことによって、入場管理システムの信頼性および利便性の向上を図ったものである。これは、サービス提供システムに適用しても同様の効果が得られる。
なお、前記実施の形態において、リムーバブルメディアとして、ＵＳＢメモリ４０を例示したが、他に、メモリスティック、スマートメディア、ＳＤカード、コンパクトフラッシュ（Ｒ）、マイクロドライブ、ＰＣカードＨＤＤなどによっても代替が可能である。また、リムーバブルメディア同様、携帯性に優れた携帯電話やＰＤＡ（Personal Digital Assistant）が内蔵するメモリで代替しても同様の効果が得られる。更に、ＲＦＩＤタグをバーコードや２次元コードで代替してもよい。
【００４１】
以上本発明について好適な実施の形態について一例を示したが、本発明は前記実施の形態に限定されず、本発明の趣旨を逸脱しない範囲で適宜変更が可能である。例えば、以下のような実施の形態が考えられる。
（１）ＵＳＢメモリ４０を用いて、入会手続を行うようにしてもよい。このとき、まず、ＰＣ１０が、専用サーバ３０のサイトのうち、入会手続を行う入会手続サイトに接続し、ＵＳＢメモリ４０のメモリＵＩＤをその入会手続サイトに送信する。これに対して、専用サーバ３０が、メモリＵＩＤを受信し、所定の記憶部に記憶する。そして、入会したサイトに接続するのに必要なデータをＰＣ１０に送信する。これに対して、ＰＣ１０が、そのデータを受信し、ＵＳＢメモリ４０のメディア記憶部４２に記憶する。これによれば、入会手続を済ませたＵＳＢメモリ４０をＰＣ１０のＵＳＢポートに挿入することによって、入会したサイトに簡単に接続することができる。
（２）ＵＳＢメモリ４０を用いて、参加者の情報を取得するようにしてもよい。このとき、まず、ＰＣ１０が、無料の参加募集を行う参加募集サイトに接続し、ＵＳＢメモリ４０のメモリＵＩＤをその参加募集サイトに送信する。これに対して、参加募集サイトのサーバが、メモリＵＩＤを受信し、所定の記憶部に記憶する。そして、参加募集サイトのサーバが、必要に応じて、所定の記憶部に記憶したメモリＵＩＤを、集計ツールプログラムによって集計を行う。これによれば、無料の参加募集を行ったイベントの参加人数などを把握することができる。また、参加募集サイトのサーバが、メモリＵＩＤだけでなく、個人情報（性別、年齢、住所、職業など）を含めて受信するようにしてもよい。このとき、個人情報を分析ツールプログラムによって分析する。これによれば、その分析結果を、市場調査などに役立てることが可能になる。
（３）更に、募集したときの参加者の情報に加えて、実際に参加した参加者の情報を取得するようにしてもよい。このとき、実際に参加した参加者の情報を取得するために、まず、参加募集を行ったイベントの会場端末２０が、ＵＳＢメモリ４０のタグＵＩＤを受信し、そのタグＵＩＤを所定の記憶部に記憶する。そして、会場端末２０が、所定の記憶部に記憶したタグＵＩＤを集計し、その集計した結果を参加募集サイトのサーバに送信する。これに対して、参加募集サイトのサーバが、タグＵＩＤを集計した結果を受信し、その受信した結果および先にメモリＵＩＤを集計した結果を比較分析ツールプログラムによって、比較、分析する。これによれば、募集したときの参加者の情報と、実際に参加した参加者の情報とを比較、分析することができ、その結果を参加募集サイトの改善や参加者を増やす対策の検討などに役立てることが可能になる。
【図面の簡単な説明】
【００４２】
【図１】本発明の実施の形態に係る入場管理方法を実現するビジネルモデルおよびその利用主体を示す図である。
【図２】本発明の実施の形態に係る入場管理システムの構成を示す図である。
【図３】本発明の実施の形態に係る会場端末の内部構成を示す図である。
【図４】本発明の実施の形態に係る電子チケット作成装置の構成を示す図である。
【図５】本発明の実施の形態に係る電子チケット作成装置の内部構成を示す図である。
【図６】本発明の実施の形態に係る入場管理システムの動作を示すシーケンス図である。
【図７】本発明の実施の形態に係る入場管理システムの動作を示すシーケンス図である。
【図８】本発明の実施の形態に係る電子チケット作成装置の動作を示すシーケンス図である。
【図９】本発明の実施の形態に係るサイト接続誘導の仕組みを示す図である。
【符号の説明】
【００４３】
１      ユーザ
２      イベント会場
３      専用サイト（所定のサイト）
１０    ＰＣ（ユーザの端末、端末装置）
１１    メディア挿入検知部
１２    サイト接続誘導部
１３    購入手続処理部
１５    識別情報受信部（メモリ識別情報取得部）
１６    Ｒ／Ｗ制御部（識別情報入出力部）
２０    会場端末（会場の端末、サービス提供可否判断装置）
２１    購入者情報受信部
２２    認証部
２３    座席表出力部
３０    専用サーバ（サービス申込受付装置）
４０    ＵＳＢメモリ（リムーバブルメディア）
５０    ＩＰネットワーク
６０    タグＲ／Ｗ
７０    ＵＳＢケーブル
８０    プリンタ
９０    センタサーバ
４０１  ＵＩＤ保存部
４０２  バウチャ保存部
【図１】
2005309532.tif 000003
【図２】
2005309532.tif 000004
【図３】
2005309532.tif 000005
【図４】
2005309532.tif 000006
【図５】
2005309532.tif 000007
【図６】
2005309532.tif 000008
【図７】
2005309532.tif 000009
【図８】
2005309532.tif 000010
【図９】
2005309532.tif 000011